(57)【要約】【課題】かみそりヘッドを洗浄層に貯留されたクリーニング液に浸した状態で洗浄できるようにして、無駄なエネルギーの消費がなく、しかもクリーニング終了後のメンテナンス作業を簡便に行える電気かみそりのクリーニング装置を提供する。【解決手段】ハウジング１２に、電気かみそりを装着するための装填部１５と、クリーニング液を貯留する洗浄槽２２が配置される洗浄室１３と、洗浄槽２２をかみそりヘッド２に対して昇降操作する操作機構２３とを設ける。操作機構２３は、洗浄槽２２を支持する支持台３８と、支持台３８を往復操作する駆動機構と、リフトモーター３９を含む。操作機構２３は、洗浄槽２２を下方の待機位置と上方の作動位置とに往復変位できるように構成する。使用位置において、洗浄槽２２内のクリーニング液に浸漬させた状態でかみそりヘッド２を洗浄する。【選択図】図１
2008212574.tif 000002
【特許請求の範囲】
【請求項１】
ハウジング（１２）に、倒立姿勢の電気かみそりを装着するための装填部（１５）と、クリーニング液を貯留する洗浄槽（２２）が配置される洗浄室（１３）と、洗浄槽（２２）を電気かみそりのかみそりヘッド（２）に対して接近ないし離反する向きに往復操作する操作機構（２３）とが設けられており、
操作機構（２３）は、洗浄室（１３）内で洗浄槽（２２）を支持する支持台（３８）と、支持台（３８）を往復操作する駆動機構と、駆動機構に動力を供給するリフトモーター（３９）を含み、
操作機構（２３）が、洗浄槽（２２）をかみそりヘッド（２）の下方で待機する待機位置と、洗浄槽（２２）を待機位置から上方移動操作して、かみそりヘッド（２）が洗浄槽（２２）内のクリーニング液に浸漬される使用位置との間で往復変位できるように構成してある電気かみそりのクリーニング装置。
【請求項２】
待機位置において洗浄槽（２２）の周囲一側に臨む洗浄室（１３）の周囲壁に、洗浄槽（２２）を支持台（３８）に対して出し入れ操作する出入口（３４）が開口してある請求項１記載の電気かみそりのクリーニング装置。
【請求項３】
洗浄槽（２２）の上部に、かみそりヘッド（２）の出入りを許す洗浄口（２８）が設けられており、
待機位置において前記洗浄口（２８）を閉止保持する内蓋（２９）が洗浄槽（２２）に設けられ、ばね（３２）で閉じ勝手に付勢してある請求項１または２記載の電気かみそりのクリーニング装置。
【請求項４】
洗浄口（２８）が、洗浄槽（２２）の上端面に凹み形成されており、
洗浄口（２８）の周囲壁と内蓋（２９）とで、かみそりヘッド（２）から流下するクリーニング液の液滴を受ける液受凹部（３０）が形成してある請求項３記載の電気かみそりのクリーニング装置。
【請求項５】
洗浄口（２８）を閉止保持する内蓋（２９）が、洗浄口（２８）の周囲一側へ向かって下り傾斜させてある請求項３または４記載のクリーニング装置。
【請求項６】
内蓋（２９）の傾斜下端に臨んで、液受凹部（３０）で受け止めたクリーニング液を洗浄槽（２２）へ戻す流下口（３３）が開口してある５記載の電気かみそりのクリーニング装置。
【請求項７】
電気かみそりが、その中心軸線が斜めに傾斜する状態で装填部（１５）に装着されており、
待機位置と使用位置との間の洗浄槽（２２）の往復軌跡が、前記中心軸線に沿って斜めに傾斜させてあり、
内蓋（２９）が、前記中心軸線と概ね直交する状態で傾斜させてある請求項５または６記載の電気かみそりのクリーニング装置。
【請求項８】
洗浄槽（２２）の抜け出しを阻止する規制構造が、洗浄室（１３）の周囲壁および支持台（３８）と洗浄槽（２２）との間に設けられており、
かみそりヘッド（２）の少なくとも一部が液受凹部（３０）に進入している状態において、洗浄槽（２２）の抜け出しを阻止できる請求項４から７のいずれかに記載の電気かみそりのクリーニング装置。
【請求項９】
支持台（３８）に、洗浄槽（２２）の左右壁の外面を覆う一対の台側壁（４８）が対向配置されており、
洗浄槽（２２）の左右壁と前記台側壁（４８）との一方に溝（５４）が、他方に突起（５３）が相対スライド係合可能に設けられており、
洗浄槽（２２）を支持台（３８）に装着した状態において、前記溝（５４）と突起（５３）とが係合して、洗浄槽（２２）を支持台（３８）で上下動不能に、かつ左右動不能に保持できる請求項４から８のいずれかに記載の電気かみそりのクリーニング装置。
【請求項１０】
前記溝（５４）と、前記突起（５３）の係合始端のそれぞれに、溝（５４）と突起（５３）とを適正な係合姿勢に誘導する係合案内面（５４ａ・５３ａ）が形成してある請求項４から９のいずれかに記載の電気かみそりのクリーニング装置。
【請求項１１】
操作機構（２３）の往復動作を制御する制御回路（４０）がハウジング（１２）に設けられており、
操作機構（２３）が、洗浄槽（２２）を待機位置と、かみそりヘッド（２２）の全体がクリーニング液に浸漬する作動位置と、作動位置より下方の中間作動位置とに変位できるよう、制御回路（４０）が構成してある請求項４から１０のいずれかに記載の電気かみそりのクリーニング装置。
【請求項１２】
かみそりヘッド（２）の洗浄時に、洗浄槽（２２）を中間作動位置と作動位置とに反復して切り換えるように制御回路（４０）が構成してある請求項１１に記載の電気かみそりのクリーニング装置。
【請求項１３】
ハウジング（１２）に、倒立姿勢の電気かみそりを装着するための装填部（１５）と、装填部（１５）に装着した電気かみそりのかみそりヘッド（２）を受け入れる洗浄凹部（６２）と、クリーニング液を貯留する洗浄槽（２２）が配置される洗浄室（１３）と、洗浄槽（２２）を洗浄凹部（６２）に対して接近ないし離反する向きに往復操作する操作機構（２３）とが設けられており、
操作機構（２３）は、洗浄室（１３）内で洗浄槽（２２）を支持する支持台（７１）と、支持台（７１）を往復操作する駆動機構と、駆動機構に動力を供給するリフトモーター（８１）を含んで構成されており、
洗浄凹部（６２）の下面開口（６３）は、閉じ勝手に付勢された蓋体（６４）で閉止保持されており、
操作機構（２３）は、洗浄槽（２２）が洗浄凹部（６２）の下方で待機する待機位置と、洗浄槽（２２）が上方移動して洗浄凹部（６２）をクリーニング液に浸漬する使用位置との間で往復変位できるように構成されており、
使用位置における洗浄凹部（６２）は、その一部に設けた通口（６５）とフィルター（６６）を介して洗浄槽（２２）の内部と連通されてクリーニング液を導入でき、
洗浄槽（２２）が使用位置から待機位置に切り換わる過程で、洗浄槽（２２）内のクリーニング液と、洗浄凹部（６２）内のクリーニング液とのヘッド差に伴うクリーニング液の重量で蓋体（６４）を開放して、洗浄凹部（６２）内のクリーニング液を洗浄槽（２２）へ回収できる電気かみそりのクリーニング装置。
【発明の詳細な説明】
【技術分野】
【０００１】
本発明は、かみそりヘッドをクリーニング液に浸して、内刃や外刃の摺接面に付着した毛屑や皮脂などを洗浄する電気かみそりのクリーニング装置に関する。
【背景技術】
【０００２】
この種のクリーニング装置は特許文献１に公知である。そこでは、電気かみそりを受台上に横臥姿勢で装填し、クリーニング液をフラットノズルでかみそりヘッドの上表面の全体に噴出供給しながら内刃を駆動して、かみそりヘッド内の洗浄を行う。洗浄終了後には、ファンから送出される乾燥風によってかみそりヘッドを乾燥できる。本体ケースの内部に２次電池が設けてある場合には、洗浄と同時に、あるいは乾燥後に２次電池を充電することができる。
【０００３】
【特許文献１】特表２００５−５２６５６２号公報（段落番号００２９、図１）
【発明の開示】
【発明が解決しようとする課題】
【０００４】
上記のような、いわゆる洗流し方式のクリーニング装置では、貯留槽に貯留したクリーニング液をろ過したのちポンプで加圧送給するので、毛屑などを含まないクリーニング液で外刃や内刃を洗浄できる。しかし、クリーニング液をかみそりヘッドの外表面に噴出供給しながら洗浄を行うので、クリーニング液の一部が、かみそりヘッドの内部に入り込むこともなくヘッド表面に沿って流下するのを避けられず、洗浄に寄与できないクリーニング液の分だけ無駄がある。
【０００５】
また、洗浄層に貯留したクリーニング液をフラットノズルへ加圧送給するための液供給構造をハウジング内部に設ける必要があるので、クリーニング装置の全体構造が複雑になる。不使用状態においては、洗浄層とフラットノズルとの間に設けられる通路や、加圧ポンプ内にクリーニング液の一部が残留することがあり、これらの残留クリーニング液を洗い流し、あるいは除去するためのメンテナンス作業に手間が掛かる。クリーニング作業を頻繁に行う場合には、左程問題とならないが、長期にわたってクリーニング装置を使用しない場合などには、残留したクリーニング液が変質して異臭を発することもある。
【０００６】
本発明の目的は、かみそりヘッドを洗浄層に貯留されたクリーニング液に浸した状態で洗浄できるようにし、クリーニング液をかみそりヘッドの外表面に供給しながら洗浄を行う場合に比べて無駄なエネルギーの消費がなく、しかも、クリーニング終了後のメンテナンス作業を簡便に行って、クリーニング装置を常に衛生的な状態に維持できる電気かみそりのクリーニング装置を提供することにある。
【課題を解決するための手段】
【０００７】
本発明のクリーニング装置は、ハウジング１２に、倒立姿勢の電気かみそりを装着するための装填部１５と、クリーニング液を貯留する洗浄槽２２が配置される洗浄室１３と、洗浄槽２２を電気かみそりのかみそりヘッド２に対して接近ないし離反する向きに往復操作する操作機構２３とが設けてある。操作機構２３は、洗浄室１３内で洗浄槽２２を支持する支持台３８と、支持台３８を往復操作する駆動機構と、駆動機構に動力を供給するリフトモーター３９を含む。操作機構２３は、洗浄槽２２をかみそりヘッド２の下方で待機する待機位置と、洗浄槽２２を待機位置から上方移動操作して、かみそりヘッド２が洗浄槽２２内のクリーニング液に浸漬される使用位置との間で往復変位できるように構成する。
【０００８】
待機位置において洗浄槽２２の周囲一側に臨む洗浄室１３の周囲壁に、洗浄槽２２を支持台３８に対して出し入れ操作する出入口３４を開口する。
【０００９】
洗浄槽２２の上部に、かみそりヘッド２の出入りを許す洗浄口２８を設ける。待機位置において前記洗浄口２８を閉止保持する内蓋２９を洗浄槽２２に設け、ばね３２で閉じ勝手に付勢する。
【００１０】
洗浄口２８を洗浄槽２２の上端面に凹み形成して、洗浄口２８の周囲壁と内蓋２９とで、かみそりヘッド２から流下するクリーニング液の液滴を受ける液受凹部３０を形成する。
【００１１】
洗浄口２８を閉止保持する内蓋２９は、洗浄口２８の周囲一側へ向かって下り傾斜させる。
【００１２】
内蓋２９の傾斜下端に臨んで、液受凹部３０で受け止めたクリーニング液を洗浄槽２２へ戻す流下口３３を開口する。
【００１３】
電気かみそりは、その中心軸線が斜めに傾斜する状態で装填部１５に装着する。待機位置と使用位置との間の洗浄槽２２の往復軌跡は、前記中心軸線に沿って斜めに傾斜させる。内蓋２９は、前記中心軸線と概ね直交する状態で傾斜させる。
【００１４】
洗浄槽２２の抜け出しを阻止する規制構造を、洗浄室１３の周囲壁および支持台３８と洗浄槽２２との間に設ける。規制構造は、かみそりヘッド２の少なくとも一部が液受凹部３０に進入している状態において洗浄槽２２の抜け出しを阻止できる。
【００１５】
支持台３８に、洗浄槽２２の左右壁の外面を覆う一対の台側壁４８を対向配置する。洗浄槽２２の左右壁と前記台側壁４８との一方に溝５４を、他方に突起５３を相対スライド係合可能に設ける。以て、洗浄槽２２を支持台３８に装着した状態において、前記溝５４と突起５３とが係合して、洗浄槽２２を支持台３８で上下動不能に、かつ左右動不能に保持する。
【００１６】
前記溝５４と、前記突起５３の係合始端のそれぞれに、溝５４と突起５３とを適正な係合姿勢に誘導する係合案内面５４ａ・５３ａを形成する。
【００１７】
操作機構２３の往復動作を制御する制御回路４０をハウジング１２に設ける。以て、操作機構２３が、洗浄槽２２を待機位置と、かみそりヘッド（２２）の全体がクリーニング液に浸漬する作動位置と、作動位置より下方の中間作動位置とに変位できるよう、制御回路４０を構成する。
【００１８】
かみそりヘッド２の洗浄時に、洗浄槽２２を中間作動位置と作動位置とに反復して切り換えるように制御回路４０を構成する。
【００１９】
本発明の別のクリーニング装置は、ハウジング１２に、倒立姿勢の電気かみそりを装着するための装填部１５と、装填部１５に装着した電気かみそりのかみそりヘッド２を受け入れる洗浄凹部６２と、クリーニング液を貯留する洗浄槽２２が配置される洗浄室１３と、洗浄槽２２を洗浄凹部６２に対して接近ないし離反する向きに往復操作する操作機構２３とが設けてある。操作機構２３は、洗浄室１３内で洗浄槽２２を支持する支持台７１と、支持台７１を往復操作する駆動機構と、駆動機構に動力を供給するリフトモーター８１を含んで構成する。洗浄凹部６２の下面開口６３は、閉じ勝手に付勢された蓋体６４で閉止保持する。操作機構２３は、洗浄槽２２が洗浄凹部６２の下方で待機する待機位置と、洗浄槽２２が上方移動して洗浄凹部６２をクリーニング液に浸漬する使用位置との間で往復変位できるように構成する。使用位置における洗浄凹部６２は、その一部に設けた通口６５とフィルター６６を介して洗浄槽２２の内部と連通されてクリーニング液を導入できる。以て、洗浄槽２２が使用位置から待機位置に切り換わる過程で、洗浄槽２２内のクリーニング液と、洗浄凹部６２内のクリーニング液とのヘッド差に伴うクリーニング液の重量で蓋体６４を開放して、洗浄凹部６２内のクリーニング液を洗浄槽２２へ回収できるようにする。
【発明の効果】
【００２０】
本発明においては、倒立姿勢の電気かみそりを装着する装填部１５と、洗浄室１３に配置される洗浄槽２２と、洗浄槽２２をかみそりヘッド２に対して接近ないし離反操作する操作機構２３と、これらを収容するハウジング１２などでクリ−ニング装置を構成した。また、洗浄槽２２を支持する支持台３８と、支持台３８を往復操作する駆動機構と、駆動機構に動力を供給するリフトモーター３９などで操作機構２３を構成し、洗浄槽２２を下方の待機位置から上方の作動位置へ操作することにより、洗浄槽２２内のクリーニング液にかみそりヘッド２を浸漬させて洗浄を行うようにした。
【００２１】
上記のように、装填部１５に固定した電気かみそりに対して、洗浄槽２２を操作機構２３で上方移動操作し、洗浄槽２２に貯留したクリーニング液にかみそりヘッド２を浸漬させて洗浄を行うクリーニング装置によれば、かみそりヘッド２の内部にクリーニング液を確実に導入して洗浄できるので、クリーニング液をかみそりヘッドの外表面に供給しながら洗浄を行う場合に避けられないエネルギー消費の無駄を一掃して、省エネルギーに寄与できる。常にクリーニング液の全てを洗浄槽２２に貯留するので、洗浄槽２２内のクリーニング液を廃棄するだけで、クリーニング装置の内部にクリーニング液が残留するのを一掃でき、したがって、クリーニング終了後のメンテナンス作業を簡便に行える。
【００２２】
定置された洗浄槽に対して電気かみそりを下降移動させ、かみそりヘッドを洗浄槽内のクリーニング液に浸漬させて洗浄を行うクリーニング装置に比べて、電気かみそりを装填部１５に装着する際の装着ミスや機器故障を一掃できる。定置された洗浄槽に対して電気かみそりを下降移動するクリーニング装置においては、昇降移動する装填部に電気かみそりを装着しなければならないため、電気かみそりを装着する際に装填部がぐらついて電気かみそりの装着に手間取りやすく、不適正な姿勢のままで電気かみそりが下降操作されることがある。また、無理に電気かみそりを装填部に装着することで、昇降機構の一部に損傷を与え、機能不全の原因となることがある。この点、本発明のクリーニング装置では、装填部１５に固定保持した電気かみそりに対して、洗浄槽２２を上昇操作して洗浄を行うので、先のような装着ミスや機器故障を一掃できる。
【００２３】
待機位置において洗浄槽２２の周囲一側に臨む洗浄室１３の周囲壁に出入口３４を開口すると、洗浄槽２２を出入口３４から支持台３８に対して簡便に出し入れ操作できるので、洗浄槽２２に対するクリーニング液の補充作業や、洗浄槽２２の洗浄作業などを容易にしかも簡便に行える。支持台３８上の洗浄槽２２を出入口３４から横向きに引き出すだけで、洗浄槽２２をハウジング１２の外へ取り出せるので、例えば、洗浄室１３の上面開口から手を差し込んで洗浄槽２２を取り出すような場合に比べて、洗浄槽２２の着脱を安定した姿勢で確実に行え、着脱時に洗浄槽２２内のクリーニング液がこぼれることもない。
【００２４】
洗浄槽２２の上部に設けた洗浄口２８を、ばね３２で閉じ勝手に付勢された内蓋２９で閉止すると、クリーニング装置が不使用状態にあるときは、常に洗浄口２８を閉止保持できるので、異物が洗浄槽２２に入り込むのを防止でき、あるいは、アルコールや水をクリーニング液とする場合に、クリーニング液の蒸散を防止できる。また、洗浄槽２２を洗浄室１３内の支持台３８に対して出し入れする際に、液面が揺れ動くことがあったとしても、クリーニング液が洗浄口２８からこぼれ出るのを内蓋２９で阻止して、洗浄室１３内がクリーニング液で汚損されるのをよく防止できる。
【００２５】
洗浄槽２２の上端面に洗浄口２８を凹み形成して、その周囲壁と内蓋２９とで液受凹部３０を形成すると、かみそりヘッド２から流下するクリーニング液の液滴を液受凹部３０で受け止めて、液滴が洗浄槽２２の周囲に飛び散るのを確実に防止でき、したがって、一連のクリーニング作業を衛生的に行えるうえ、クリーニング終了後の清掃の手間も軽減できる。
【００２６】
内蓋２９が洗浄口２８の周囲一側へ向かって下り傾斜させてあると、かみそりヘッド２から流下するクリーニング液の液滴を内蓋２９の傾斜下端へ向かって流下させて集約し、クリーニング液の全てを洗浄槽２２へ戻すことができる。また、かみそりヘッド２の洗浄後に、液受凹部３０の内底、すなわち内蓋２９の上面にクリーニング液が残留するのを確実に防止できるので、洗浄作業が終了した状態のままで、クリーニング装置が次の使用機会まで放置されるような場合でも、クリーニング装置を衛生的な状態に維持できる。
【００２７】
内蓋２９の傾斜下端に臨んで流下口３３を開口すると、液受凹部３０で受け止められ、内蓋２９に沿って流下するクリーニング液を流下口３３から洗浄槽２２へ速やかに戻すことができる。クリーニング液に毛屑などが含まれている場合であっても、流下口３３から毛屑ごとクリーニング液を回収できる。なお、流下口３３は、内蓋２９の傾斜下端に臨む洗浄口２８の周囲壁と、内蓋２９のいずれの側に形成してあってもよい。
【００２８】
中心軸線が斜めに傾斜する状態で電気かみそりを装填部１５に装着し、さらに洗浄槽２２の往復軌跡を電気かみそりの中心軸線に沿って斜めに傾斜させると、電気かみそりが装填部１５に対して垂直に倒立する状態で装着してある場合に比べて、クリーニング装置の上下寸法を小さくできるので、装置全体の重心位置を低くして、転倒しにくく安定性のよいクリーニング装置とすることができる。また、前記中心軸線と概ね直交する状態で内蓋２９を傾斜させることにより、洗浄口２８の前後寸法をより小さくでき、その分だけ洗浄槽２２を小形化して、クリーニング装置をコンパクト化できる。
【００２９】
洗浄室１３の周囲壁および支持台３８と洗浄槽２２との間に規制構造を設けて、かみそりヘッド２の少なくとも一部が液受凹部３０に進入している状態において、洗浄槽２２の抜け出しを阻止できるようにすると、かみそりヘッド２の洗浄時に洗浄槽２２が誤って抜き出し操作されるのを確実に防止して、クリーニング装置の安全性を向上できる。とくに、内刃４を駆動しながらかみそりヘッド２を洗浄する場合には、電気かみそりが通電状態にあるので、洗浄槽２２をクリーニング装置から無理に取り外すことで、クリーニング液が周辺に飛び散って短絡するおそれがあるが、このような勘違いによる事故の発生を防止できる。
【００３０】
洗浄槽２２の左右壁と支持台３８の台側壁４８との一方に溝５４を、他方に突起５３を設け、洗浄槽２２を支持台３８に装着した状態において、溝５４と突起５３とが相対スライド係合できるようにしたクリーニング装置によれば、支持台３８に装着した洗浄槽２２を上下動不能に、かつ左右動不能に保持固定できるので、支持台３８が昇降移動するときに洗浄槽２２が遊動し、あるいはがたつくのを防止できる。洗浄時には、上方の作動位置において洗浄槽２２を支持台３８で確りと保持固定して、かみそりヘッド２の洗浄を安定した状態の許に行うことができる。
【００３１】
溝５４と突起５３の係合始端のそれぞれに、係合案内面５４ａ・５３ａを形成すると、大まかに位置決めした状態で洗浄槽２２を支持台３８に差し込み装着するだけで、溝５４と突起５３を適正な係合姿勢に誘導案内して、洗浄室１３内において洗浄槽２２によって視野が遮られる状態であっても、洗浄槽２２を支持台３８に対して適正に装着できる。
【００３２】
操作機構２３の往復動作を制御する制御回路４０を設け、洗浄槽２２を操作機構２３で待機位置と、作動位置と、作動位置より下方の中間作動位置とに変位できるようにすると、かみそりヘッド２２の全体がクリーニング液に浸漬する状態と、例えばかみそりヘッド２の下部のみがクリーニング液に浸漬する状態で洗浄を行える。中間作動位置では、クリーニング液が空気との境界面で内刃４によってかき混ぜられて液面が波立てられ、強制的に空気の泡がクリーニング液の表面や液中に形成される。液中に形成された泡は、破裂する際に超音波を発生して、外刃３や内刃４にこびりついた皮脂や毛屑を剥落させる。つまり、超音波洗浄効果によって皮脂や毛屑を洗浄できる。また、作動位置では、かみそりヘッド２の内部に入り込んだクリーニング液を内刃４でかき混ぜて不規則な水流を起こし、かみそりヘッド２の内部に付着した毛屑や皮質を水流の衝突作用で洗い流し、外刃３の網目から排出することができる。中間作動位置においては、上記のようにかみそりヘッド２の下部のみをクリーニング液に浸漬させるか、かみそりヘッド２の全体をクリーニング液面より上方に露出させて、かみそりヘッド２内のクリーニング液を内刃４でかき混ぜながら洗浄してもよく、要は空気とクリーニング液が内刃４でかき混ぜられる状態の全てを含むこととする。
【００３３】
かみそりヘッド２の洗浄時に、洗浄槽２２を中間作動位置と作動位置とに反復して切り換えるようにすると、洗浄形態を反復変更して洗浄できる。具体的には、内刃４で生起した水流の衝突作用などで毛屑や皮質を洗い流し、さらにクリーニング液中に形成された泡の破裂作用によって毛屑や皮質を剥落できるので、これらの洗浄形態を反復することにより、かみそりヘッド２内の洗浄をさらに効果的に行って、落ちにくい皮脂であっても確実に清掃除去できる。
【００３４】
本発明の別のクリーニング装置では、倒立姿勢の電気かみそりを装着する装填部１５と、かみそりヘッド２を受け入れる洗浄凹部６２と、洗浄室１３に配置される洗浄槽２２と、洗浄槽２２をかみそりヘッド２に対して接近ないし離反操作する操作機構２３と、これらを収容するハウジング１２などでクリ−ニング装置を構成した。また、洗浄槽２２を支持する支持台３８と、支持台３８を往復操作する駆動機構と、駆動機構に動力を供給するリフトモーター３９などで操作機構２３を構成し、洗浄槽２２を下方の待機位置から上方の作動位置へ操作することにより、洗浄槽２２内のクリーニング液に洗浄凹部６２を浸漬させ、洗浄凹部６２内へ流入したクリーニング液にかみそりヘッド２を浸漬して洗浄を行うようにした。さらに、洗浄凹部６２の一部に設けた通口６５とフィルター６６を介してクリーニング液を流入させることにより、ろ過されたクリーニング液でかみそりヘッド２を洗浄できるようにした。
【００３５】
上記のように、装填部１５に固定した電気かみそりに対して、洗浄槽２２を操作機構２３で上方移動操作し、洗浄槽２２に貯留したクリーニング液に洗浄凹部６２とかみそりヘッド２を浸漬させて洗浄を行うクリーニング装置によれば、かみそりヘッド２の内部にクリーニング液を確実に導入して洗浄できるので、クリーニング液をかみそりヘッドの外表面に供給しながら洗浄を行う場合に避けられないエネルギー消費の無駄を一掃して、省エネルギーに寄与できる。また、通口６５とフィルター６６を介してクリーニング液を洗浄凹部６２に流入させることにより、かみそりヘッド２をろ過された清浄なクリーニング液で効果的に洗浄できるので、前回洗浄時に使用したクリーニング液を再使用するような場合であっても、かみそりヘッド２の内部を効果的に洗浄できる。
【００３６】
洗浄凹部６２の下面開口６３を閉じ勝手に付勢された蓋体６４で閉止保持しておき、洗浄槽２２が使用位置から待機位置に切り換わる過程で、洗浄槽２２内のクリーニング液と、洗浄凹部６２内のクリーニング液とのヘッド差に伴うクリーニング液の重量で蓋体６４を開放して、洗浄凹部６２内のクリーニング液を洗浄槽２２へ回収できるようにするので、洗浄終了後には、単に洗浄槽２２を作動位置から待機位置へ復帰させるだけで、洗浄凹部６２内のクリーニング液を洗浄槽２２へ自動的に全て戻すことができる。したがって、洗浄作業が終了した状態のままで、クリーニング装置が次の使用機会まで放置されるような場合でも、クリーニング装置を衛生的な状態に維持できる。
【発明を実施するための最良の形態】
【００３７】
（実施例）  図１ないし図７は本発明に係るクリーニング装置の実施例を示す。図２において、洗浄対象となる電気かみそりは、本体部１と、本体部１の一端に設けられるかみそりヘッド２とを備えている。かみそりヘッド２には、網刃からなる断面アーチ状の外刃３と外刃３の内面に摺接する一対の内刃４とが設けられており、本体部１の内部に設けたモーター５の回転動力で両内刃４を往復駆動できる。本体部１の前面には、メインスイッチを切り換えるスライドノブ６と、表示用のＬＥＤ７とが配置され、背面には給電用のソケットを差し込み係合するソケット凹部８ａが凹み形成され、その内部に一対のピンプラグ８ｂを配置している。符号９は２次電池である。なお、内刃４はロータリー式の回転刃であってもよい。
【００３８】
クリーニング装置は、箱状のハウシング１２を基体にして構成する。ハウシング１２の内部には、洗浄室１３と機器室１４とが区画してあり、洗浄室１３の上面開口に臨んで電気かみそりを倒立姿勢で装着する装填部１５が設けてある。装填部１５は斜めに傾斜する装填台１６と、装填台１６の左右両側に突設される一対の抱持壁１７と、装填台１６に突設されるソケット１８とで構成してある。電気かみそりを倒立姿勢にし、その背面に設けたソケット凹部８ａにソケット１８を差し込み係合することにより、本体部１を装填台１６と抱持壁１７とで固定保持し、かみそりヘッド２を洗浄室１３の上部に臨ませることができる。ハウシング１２の一側外面には電源スイッチ１９が配置してある（図２参照）。
【００３９】
洗浄室１２の内底にはクリーニング液を貯留する洗浄槽２２が配置され、洗浄槽２２をかみそりヘッド２に対して接近ないし離反する向きに上下操作する操作機構２３が、機器室１４と洗浄室１３とにわたって配置してある。
【００４０】
洗浄槽２２は、上向きに開口する逆台形断面状の槽本体２４と、槽本体２４の上開口に圧嵌係合される槽蓋２５とで構成する。槽本体２４の後壁は後述する支持台３８の傾斜に沿う傾斜壁で形成され、前壁の外面には把手２６が一体に形成してある。槽蓋２５の上端面には、かみそりヘッド２の出入りを許す洗浄口２８が凹み形成されており、この洗浄口２８の周囲壁と、洗浄口２８の下面を閉止する内蓋２９とで液受凹部３０を構成している。
【００４１】
洗浄口２８の開口平面は、電気かみそりの中心軸線の傾きとの関係で傾斜させる。具体的には、電気かみそりはその中心軸線が垂直線に対して後傾する状態で装填部１５に装着するが、洗浄口２８の開口平面を電気かみそりの中心軸線と直交する状態、すなわち、槽本体２４の後壁へ向かって下り傾斜する状態で形成する。内蓋２９は洗浄口２８の傾斜上端側に設けた軸３１を中心にして揺動開閉可能に軸支されており、軸３１の回りに配置した捻りコイル形のばね３２で閉じ勝手に付勢してある。液受凹部３０は、洗浄終了後にかみそりヘッド２から流下するクリーニング液の液滴を受けて、液滴が槽蓋２５の周囲に跳ね飛ぶのを防ぐために設けられる。
【００４２】
上記のように、洗浄口２８の開口平面を槽本体２４の後壁へ向かって下り傾斜することにより、液受凹部３０の底壁となる内蓋２９が槽本体２４の後壁へ向かって下り傾斜する。当然、かみそりヘッド２から流下する液滴は、内蓋２９の傾斜下端へ向かって流下する。この流下する液滴を洗浄槽２２内へ円滑に戻すために、洗浄口２８の傾斜下端側の周囲壁に流下口３３を開口している（図１参照）。洗浄槽２２を支持台３８に対して出し入れ操作するために、槽本体２４と対向する洗浄室１３の正面側の周囲壁に出入口３４が開口してある。
【００４３】
操作機構２３は、洗浄槽２２を支持する支持台３８と、支持台３８を昇降操作する駆動機構と、駆動機構に動力を供給するリフトモーター３９と、リフトモーター３９の駆動状態を制御する制御回路４０などで構成する。駆動機構は、リフトモーター３９の出力軸に固定されるウォーム軸４２と、ウォーム軸４２で回転駆動されるピニオン４３と、ピニオン４３と噛合うラック４４とで構成する。洗浄室１３の奥端の傾斜壁には、ラック４４の上下動を許す昇降溝５１が形成してある（図３参照）。
【００４４】
支持台３８は、左右中央の外面にラック４４が形成される傾斜壁４６と、傾斜壁４６の下端に連続して出入口３４へ向かって突設される底壁４７と、左右一対の台側壁４８と、傾斜壁４６の左右両側の上下に突設されるスライド片４９（図３参照）を一体に備えている。スライド片４９を、洗浄室２２の奥端傾斜壁の両側に設けたガイド溝５０でスライド案内することにより、支持台３８はガイド溝５０に沿って昇降スライドでき、操作機構２３によって、図１に示す下方の待機位置と、図６に示す上方の中間作動位置と、図５に示すさらに上方の作動位置とに移行操作できる。待機位置と使用位置との間の支持台３８（洗浄槽２２）の往復軌跡は、先に述べた電気かみそりの中心軸線と平行に傾斜させてある。
【００４５】
洗浄槽２２を支持台３８に対して確りと係合装着するために、台側壁４８の対向面に前後方向に長いリブ状の突起５３を設け、洗浄槽２２の左右壁の外面下部に凹み形成した溝５４を先の突起５３でスライド案内している。図４に示すように、突起５３の係合始端の上下面には前すぼまり状の係合案内面５３ａが形成され、溝５４の係合始端の上下面には後すぼまり状の係合案内面５４ａが形成してある。これらの係合案内面５３ａ・５４ａを設けることにより、突起５３と溝５４とを適正な係合姿勢に誘導案内して、洗浄槽２２の出し入れを円滑化できる。
【００４６】
突起５３と溝５４とが完全に係合し合う状態では、洗浄槽２２を支持台３８で上下動不能に、しかも左右動不能に保持でき、さらに、突起５３と溝５４との間に設けた規制構造で洗浄槽２２の抜け出しを阻止することができる。図４に示すように規制構造は、左右の突起５３の後部上面に装着した板ばね製の逆Ｖ字状のロックばね９０と、左右の溝５４の上溝側壁に凹み形成した逆Ｖ字状のロック溝９１とで構成されており、ロックばね９０の屈曲端がロック溝９１に落とし込み係合することで、支持台３８に対する洗浄槽２２の装着姿勢を維持できる。
【００４７】
洗浄後のかみそりヘッド２の乾燥を促進するために、洗浄室１３の上部前面を囲む周囲壁に、洗浄室１３に連通する通気室５６を貫通形成し、その内部に軸流形の送風ファン５７を組み込んでいる。図１に示すように、送風ファン５７から送出される乾燥風は、かみそりヘッド２の頂部に吹き付けられて、外刃３および内刃４に付着した液滴の乾燥を促進する。
【００４８】
クリーニング液は水またはアルコールからなり、水を使用する場合には、洗浄溶質として洗剤液、固形石鹸、粉石鹸などの界面活性剤を水に混合する。必要があれば、殺菌剤、消泡剤、潤滑剤などを混入してもよい。アルコール、またはアルコール水溶液をクリーニング液の主成分とする場合には、界面活性剤は併用しない。
【００４９】
以上のように構成したクリーニング装置によれば、所定量のクリーニング液が貯留された洗浄槽２２を支持台３８に装着したのち、電気かみそりを装填部１５に倒立姿勢で装填し、電源スイッチ１９をオン操作することにより、各機器は制御回路４０によって制御されて、図７に示す各機器のタイミングチャートに従って、一連のクリーニング動作が開始される。
【００５０】
具体的には、電源スイッチ１９をオン操作するのと同時に、ソケット１８とピンプラグ８ｂを介して供給される電力によって、モーター５が起動されて内刃４が駆動される。同時に、図７に符号ｍ１で示すように操作機構２３のリフトモーター３９が正転起動されて、支持台３８と洗浄槽２２とがガイド溝５０に沿って作動位置へと上昇操作される。洗浄槽２２が上昇する過程で外刃３の頂面が内蓋２９に接当し、内蓋２９をばね３２の付勢力に抗して下向きに開放揺動させる。洗浄槽２２が作動位置まで上昇すると、そのことをピニオン４３の回転量を検知するセンサー５８（図１参照）で検知して、モーター３６が停止される。
【００５１】
図５に示すように作動位置においては、かみそりヘッド２の全体がクリーニング液に浸漬する状態で内刃４が駆動されるので、外刃３の内面に付着している毛屑、および皮脂を内刃４で強制的に掻き落とすことができる。また、かみそりヘッド２の内部に入り込んだクリーニング液を内刃４でかき混ぜて不規則な水流を起こし、かみそりヘッド２の内部に付着した毛屑や皮質を水流の衝突作用で洗い流し、外刃３の網目から排出することができる。
【００５２】
洗浄開始から一定時間が経過すると、符号ｍ２で示すようにリフトモーター３９を逆転駆動して、図６に示すように洗浄槽２２を中間作動位置まで降下させる。この中間作動位置では、内刃４は、その刃先側がクリーニング液に浸漬された状態で駆動される。そのため、かみそりヘッド２の内部では、クリーニング液が空気との境界面でかき混ぜられて液面が波立てられ、強制的に空気の泡がクリーニング液の表面や液中に形成される。液中に形成された泡は、破裂する際に超音波を発生して、外刃３や内刃４にこびりついた皮脂や毛屑を剥落させる。つまり、超音波洗浄効果によって皮脂や毛屑を洗浄できる。
【００５３】
中間作動位置での洗浄を一定時間行ったのち、リフトモーター３９を符号ｍ３で示すように正転駆動し、洗浄槽２２を再度作動位置まで上昇させた状態で洗浄を行って、剥落された毛屑や皮脂などを洗い流し、外刃３の網目から排出する。一定時間が経過したのち、符号ｍ４で示すように再びリフトモーター３９を逆転駆動して洗浄槽２２を中間作動位置まで降下させ、上記と同様に内刃４の刃先側がクリーニング液に浸漬された状態で洗浄を行う。さらに、一定時間が経過したのち、符号ｍ５で示すようにリフトモーター３９を正転駆動して洗浄槽２２を再度作動位置まで上昇させた状態で洗浄を行って、毛屑や皮脂などを洗い流す。
【００５４】
上記のように作動位置での洗浄と、中間作動位置での洗浄を交互に反復して行うと、各部に付着している毛屑や皮脂を、内刃４で機械的に剥落し、クリーニング液の衝突作用および洗い流し作用で液中に分離ないし溶出させ、空気の泡の破裂作用で付着部分から浮き剥がすことができるので、かみそりヘッド２の内部を効果的に洗浄できる。作動位置および中間作動位置においては、いずれも洗浄室１３を囲む周囲壁のうち、出入口３４の上部の壁が把手２６と正対するので、洗浄槽２２を支持台３８から抜き外し操作することはできず、この点で出入口３４の上部の壁と把手２６とは、先の規制構造を兼ねることとなる。
【００５５】
洗浄過程が終了したら、符号ｍ６で示すようにリフトモーター３９を再度逆転駆動して、洗浄槽２２を待機位置まで下降操作する。洗浄槽２２が降下する過程で、内蓋２９はばね３２で閉止状態に戻されて洗浄口２８を塞ぐ。リフトモーター３９が停止するのと同時に、送風ファン５７を起動してかみそりヘッド２に乾燥風を吹き付ける。洗浄槽２２が作動位置から待機位置へ下降し終ったのちも、モーター５は一定時間継続して駆動されており、外刃３がクリーニング液の液面から抜け出た時点で、外刃３や内刃４などに付着している液滴を内刃４の振動作用によって振り落とす。このとき、かみそりヘッド２から流下するクリーニング液の液滴は、液受凹部３０で受け止められて洗浄槽２２内へ戻される。
【００５６】
送風ファン５７を起動したのち一定時間が経過すると、まずモーター５を停止して内刃４を静止させる。次いで所定時間後に送風ファン５７を停止して一連のクリーニング作業を終了する。以後は、２次電池９に充電電流を供給して充電を行う。充電状態であることは、本体部１に設けたＬＥＤ７が充電と同時に点灯することで知ることができる。
【００５７】
クリーニング作業を終了したのちは、出入口３４に臨む把手２６を掴んで、洗浄槽２２を支持台３８から抜き外し、槽蓋２５を槽本体２４から取り外すことにより、槽本体２４の上面開口を開放してクリーニング液を廃棄できる。この状態で槽本体２４や槽蓋２５の内面に付着した毛屑などを洗い流すことで、洗浄槽２２を清潔な状態に保つことができる。
【００５８】
図８および図９は、クリーニング装置の別の実施例を示す。そこでは、先の実施例と同様に洗浄槽２２を作動位置まで上昇操作してかみそりヘッド２の洗浄を行うが、ろ過されたクリーニング液でかみそりヘッド２の洗浄を行う点が先の実施例と異なる。そのために、洗浄室１３の上部に、洗浄槽２２よりひと回り小さな洗浄ケース６１を配置し、その内底にかみそりヘッド２を受け入れるための洗浄凹部６２を下向きに膨出する状態で設け、洗浄凹部６２の下面開口６３を蓋体６４で閉止できるようにした。また、洗浄凹部６２の上開口面の周縁壁に、クリーニング液を流入させるための通口６５を複数個開口し、通口６５の下部にフィルター６６を配置した。
【００５９】
洗浄凹部６２の下面開口６３は、先の実施例における洗浄口２８と同じ向きに下り傾斜させてある。蓋体６４は下面開口６３の傾斜上端に設けた軸６８を中心にして揺動開閉可能に軸支されており、軸６８の回りに配置した捻りコイル形のばね６９で閉じ勝手に付勢してある。洗浄槽２２は上向きに開口する角箱状に形成してある。
【００６０】
この実施例における操作機構２３は、伸縮リンク機構と、伸縮リンク機構を伸縮操作する駆動機構と、伸縮リンク機構の上端に配置される支持台７１などで構成する。伸縮リンク機構は、Ｘ字状に連結されたリンクバー７２の複数組を伸縮要素にして構成してあり、各リンクバー７２の端部どうしをピン７３で多段状に連結して構成する。最下段のリンクバー７２の一方は、洗浄室１３の内底のブラケット７４にピン７５で連結し、最下段のリンクバー７２の他方は、駆動機構の雌ねじ体８５に連結してある。同様に、最上段のリンクバー７２の一方は、支持台７１の下面のブラケット７６にピン７７で連結し、最上段のリンクバー７２の他方に遊転自在なローラー７８を軸支して、支持台７１の下面をローラー７８で受け止めている。
【００６１】
駆動機構は、リフトモーター８１と、リフトモーター８１の出力軸に固定されるウォーム軸８２と、ウォーム軸８２で回転駆動されるギヤ列８３と、終段ギヤと同行回転するねじ軸８４と、ねじ軸８４に噛合う雌ねじ体８５とで構成してある。リフトモーター８１を正転駆動すると、雌ねじ体８５が図８に向かって左側へ変位するので、Ｘ字状に連結された各リンクバー７２は上向きに伸長し、支持台７１に載置した洗浄槽２２を上昇操作できる。リフトモーター８１を逆転駆動すると、各リンクバー７２は徐々に折り畳まれるので、支持台７１および洗浄槽２２を下降操作できる。なお、先の実施例と同じ部材には同じ符号を付してその説明を省略する。
【００６２】
クリーニングを行う場合には、図９に示すように洗浄槽２２を作動位置まで上昇させて、洗浄凹部６２の全体を洗浄槽２２内のクリーニング液に浸漬させる。この状態では、洗浄凹部６２の下面開口６３が蓋体６４で閉止されているので、洗浄槽２２内のクリーニング液は、下面開口６３から入り込むことはなく、フィルター６６と通口６５を介して洗浄凹部６２に流入する。したがって、洗浄凹部６２はフィルター６６でろ過されたクリーニング液のみで満たされ、清浄なクリーニング液でかみそりヘッド２を洗浄できる。洗浄状態において内刃４を駆動しながら洗浄すること、および洗浄槽２２を一定時間おきに作動位置と中間作動位置とに交互に反復変位操作しながら洗浄することは、先の実施例と同じである。
【００６３】
洗浄が終了したら、洗浄槽２２を洗浄室１３の下部の待機位置へ下降移動操作する。洗浄槽２２を下降操作するのに伴い、洗浄ケース６１内のクリーニング液は通口６５とフィルター６６から流下するため、洗浄ケース６１内の液位は下がる。しかし、洗浄凹部６２に貯留されたクリーニング液は、下面開口６３が蓋体６４で閉止してあるため直ちには減少しない。しかし、洗浄槽２２が中間作動位置を越えてさらに下降すると、洗浄凹部６２の下部が洗浄槽２２内のクリーニング液から徐々に露出し、洗浄凹部６２に貯留されたクリーニング液と、洗浄槽２２内のクリーニング液との間にヘッド差（水頭差）を生じる。その結果、蓋体６４はばね６９で閉じ付勢してあるにもかかわらず、洗浄凹部６２内のクリーニング液の重量で開放操作されて、洗浄凹部６２内のクリーニング液の全てを洗浄槽２２へ自動的に回収できる。洗浄終了後には、洗浄ケース６１および洗浄槽２２をハウジング１２から取り外し、洗浄槽２２内のクリーニング液を廃棄したのち、両者２２・６１を洗浄して、次回の洗浄に備える。
【００６４】
上記の実施例以外に、電気かみそりは垂直に倒立した姿勢で装填部１５に装着することができる。電気かみそりを装填部１５に傾斜姿勢で装着する場合には、ハウジング１２に対して前傾姿勢、後傾姿勢、左右いずれかに傾斜した姿勢のいずれであってもよいが、洗浄槽２２に貯留したクリーニング液にかみそりヘッド２を浸漬させる関係上、水平線に対する傾斜角度は４５度以上であることが好ましい。
【００６５】
内蓋２９は観音開き構造とすることができる。洗浄口２８の開口平面は必ずしも傾斜させる必要はなく、水平であってもよい。その場合には、内蓋２９も水平にする必要があるが、内蓋２９の板面に洗浄口２８の周囲一側へ向かって下り傾斜する凹部を設け、凹部の傾斜下端に流下口３３を開口することができる。操作機構２３は、実施例で説明した構造である必要はなく、洗浄槽２２を待機位置と作動位置との間で昇降操作できる構造であればよい。
【図面の簡単な説明】
【００６６】
【図１】クリーニング装置の概略構造を示す縦断側面図である。
【図２】クリーニング装置の側面図である。
【図３】洗浄槽の縦断正面図である。
【図４】操作機構を示す縦断側面図である。
【図５】作動位置におけるかみそりヘッドの洗浄状態を示す縦断側面図である。
【図６】中間作動位置におけるかみそりヘッドの洗浄状態を示す縦断側面図である。
【図７】クリーニング装置の駆動例を示すタイミングチャートである。
【図８】別の実施例に係るクリーニング装置の概略構造を示す縦断側面図である。
【図９】作動位置におけるかみそりヘッドの洗浄状態を示す縦断側面図である。
【符号の説明】
【００６７】
２  かみそりヘッド
１２  ハウジング
１３  洗浄室
１５  装填部
２２  洗浄槽
２３  操作機構
２８  洗浄口
２９  内蓋
３８  支持台
３９  リフトモーター
【図１】
2008212574.tif 000003
【図２】
2008212574.tif 000004
【図３】
2008212574.tif 000005
【図４】
2008212574.tif 000006
【図５】
2008212574.tif 000007
【図６】
2008212574.tif 000008
【図７】
2008212574.tif 000009
【図８】
2008212574.tif 000010
【図９】
2008212574.tif 000011